【手続補正書】
【提出日】平成25年1月15日(2013.1.15)
【手続補正１】
【補正対象書類名】特許請求の範囲
【補正対象項目名】全文
【補正方法】変更
【補正の内容】
【特許請求の範囲】
【請求項１】
複数の画素が２次元に配列され、ベイヤー配列された色成分Ｒ、Ｇ、Ｂに対応する画像信号を前記複数の画素のそれぞれが出力する撮像素子からの画像信号を処理する画像処理装置であって、
前記撮像素子から各画素に入力された何れかの色成分の画像信号に対して、近傍の画素の画像信号を用いて前記入力された何れかの色成分と異なる色成分の画像信号の補間処理を行い、各画素についてＲ成分、Ｇ成分、Ｂ成分の画像信号を取得する補間手段と、
前記撮像素子から入力した画像信号に含まれるＧ成分の画像信号を用いて前記Ｇ成分の画像信号の高周波成分を抽出する高周波成分抽出手段と、
前記各画素について、Ｒ成分の画像信号とＢ成分の画像信号とを加えたものからゲイン調整されたＧ成分の画像信号を減算した信号である偽色低減色信号を求める偽色低減色信号生成手段と、
前記偽色低減色信号の信号値に基づいて、各画素について彩度信号を生成する彩度信号生成手段と、
前記彩度信号と前記高周波成分とに基づいて、前記各画素について前記R成分、前記B成分の画像信号に含まれる偽色を抑圧する抑圧手段と、
を備える画像処理装置。
【請求項２】
前記抑圧手段は、前記各画素について前記R成分、前記B成分の画像信号に含まれる偽色を抑圧するとき、前記高周波成分が大きいほど前記抑圧する抑圧量が大きくなるように前記抑圧するとともに、前記彩度信号が大きい高精度領域では、前記抑圧する抑圧量が小さくなるように前記抑圧する請求項１に記載の画像処理装置。
【請求項３】
複数の画素が２次元に配列され、ベイヤー配列された色成分Ｒ、Ｇ、Ｂに対応する画像信号を前記複数の画素のそれぞれが出力する撮像素子からの画像信号を処理する画像処理装置であって、
前記撮像素子から各画素に入力された画像信号に対して、近傍の画素の画像信号を用いて補間処理を行う補間手段と、
前記各画素について前記補間手段により取得された画像信号を、輝度成分と２つの色差成分とをもつ色空間の画像信号に変換する色空間変換手段と、
各画素における前記輝度成分の信号値の高周波成分を、前記輝度成分の信号値を用いて抽出する高周波成分抽出手段と、
前記各画素について、Ｒ成分の画像信号とＢ成分の画像信号とを加えたものからゲイン調整されたＧ成分の画像信号を減算した信号である偽色低減色信号に対応する信号を、前記２つの色差成分の信号値の線形和を用いて求める偽色低減色信号生成手段と、
前記偽色低減色信号の信号値に基づいて、各画素において彩度信号を生成する彩度信号生成手段と、
前記彩度信号と前記高周波成分とに基づいて、前記各画素について前記２つの色差成分の信号値に含まれる偽色を抑圧する抑圧手段と、
を備える画像処理装置。
【請求項４】
前記抑圧手段は、前記各画素について前記２つの色差成分の画像信号に含まれる偽色を抑圧するとき、前記高周波成分が大きいほど前記抑圧する抑圧量が大きくなるように前記抑圧するとともに、前記彩度信号が大きい高精度領域では、前記抑圧する抑圧量が小さくなるように前記抑圧する請求項３に記載の画像処理装置。
【請求項５】
前記抑圧手段は、前記偽色低減色信号に対応する信号として、前記線形和における前記２つの色差成分のうち一方の色差成分の係数を１にする調整係数を算出し、前記算出した調整係数を前記２つの色差成分のうち他方の色差成分に乗算した信号と、前記２つの色差成分のうち一方の色差成分と、を加算した信号を求める請求項３または請求項４に記載の画像処理装置。
【請求項６】
前記補間手段は、各画素について複数の原色成分の画像信号を取得する請求項３乃至請求項５の何れか一項に記載の画像処理装置。
【手続補正２】
【補正対象書類名】明細書
【補正対象項目名】００１０
【補正方法】変更
【補正の内容】
【００１０】
上記目的を達成する請求項１に係る画像処理装置の発明は、
複数の画素が２次元に配列され、ベイヤー配列された色成分Ｒ、Ｇ、Ｂに対応する画像信号を前記複数の画素のそれぞれが出力する撮像素子からの画像信号を処理する画像処理装置であって、
前記撮像素子から各画素に入力された何れかの色成分の画像信号に対して、近傍の画素の画像信号を用いて前記入力された何れかの色成分と異なる色成分の画像信号の補間処理を行い、各画素についてＲ成分、Ｇ成分、Ｂ成分の画像信号を取得する補間手段と、
前記撮像素子から入力した画像信号に含まれるＧ成分の画像信号を用いて前記Ｇ成分の画像信号の高周波成分を抽出する高周波成分抽出手段と、
前記各画素について、Ｒ成分の画像信号とＢ成分の画像信号とを加えたものからゲイン調整されたＧ成分の画像信号を減算した信号である偽色低減色信号を求める偽色低減色信号生成手段と、
前記偽色低減色信号の信号値に基づいて、各画素について彩度信号を生成する彩度信号生成手段と、
前記彩度信号と前記高周波成分とに基づいて、前記各画素について前記R成分、前記B成分の画像信号に含まれる偽色を抑圧する抑圧手段と、
を備えることを特徴とするものである。
【手続補正３】
【補正対象書類名】明細書
【補正対象項目名】００１１
【補正方法】変更
【補正の内容】
【００１１】
請求項２に係る発明は、請求項１に記載の画像処理装置において、
前記抑圧手段は、前記各画素について前記R成分、前記B成分の画像信号に含まれる偽色を抑圧するとき、前記高周波成分が大きいほど前記抑圧する抑圧量が大きくなるように前記抑圧するとともに、前記彩度信号が大きい高精度領域では、前記抑圧する抑圧量が小さくなるように前記抑圧することを特徴とするものである。
【手続補正４】
【補正対象書類名】明細書
【補正対象項目名】００１２
【補正方法】変更
【補正の内容】
【００１２】
上記目的を達成する請求項３に係る画像処理装置の発明は、
複数の画素が２次元に配列され、ベイヤー配列された色成分Ｒ、Ｇ、Ｂに対応する画像信号を前記複数の画素のそれぞれが出力する撮像素子からの画像信号を処理する画像処理装置であって、
前記撮像素子から各画素に入力された画像信号に対して、近傍の画素の画像信号を用いて補間処理を行う補間手段と、
前記各画素について前記補間手段により取得された画像信号を、輝度成分と２つの色差成分とをもつ色空間の画像信号に変換する色空間変換手段と、
各画素における前記輝度成分の信号値の高周波成分を、前記輝度成分の信号値を用いて抽出する高周波成分抽出手段と、
前記各画素について、Ｒ成分の画像信号とＢ成分の画像信号とを加えたものからゲイン調整されたＧ成分の画像信号を減算した信号である偽色低減色信号に対応する信号を、前記２つの色差成分の信号値の線形和を用いて求める偽色低減色信号生成手段と、
前記偽色低減色信号の信号値に基づいて、各画素において彩度信号を生成する彩度信号生成手段と、
前記彩度信号と前記高周波成分とに基づいて、前記各画素について前記２つの色差成分の信号値に含まれる偽色を抑圧する抑圧手段と、
を備えることを特徴とするものである。
【手続補正５】
【補正対象書類名】明細書
【補正対象項目名】００１３
【補正方法】変更
【補正の内容】
【００１３】
請求項４に係る発明は、請求項３に記載の画像処理装置において、
前記抑圧手段は、前記各画素について前記２つの色差成分の画像信号に含まれる偽色を抑圧するとき、前記高周波成分が大きいほど前記抑圧する抑圧量が大きくなるように前記抑圧するとともに、前記彩度信号が大きい高精度領域では、前記抑圧する抑圧量が小さくなるように前記抑圧することを特徴とするものである。
また、請求項５に係る発明は、請求項３または請求項４に記載の画像処理装置において、
前記抑圧手段は、前記偽色低減色信号に対応する信号として、前記線形和における前記２つの色差成分のうち一方の色差成分の係数を１にする調整係数を算出し、前記算出した調整係数を前記２つの色差成分のうち他方の色差成分に乗算した信号と、前記２つの色差成分のうち一方の色差成分と、を加算した信号を求めることを特徴とするものである。
さらに、請求項６に係る発明は、請求項３乃至請求項５の何れか一項に記載の画像処理装置において、
前記補間手段は、各画素について複数の原色成分の画像信号を取得することを特徴とするものである。